(57)【要約】【課題】  赤外線撮像装置に対向する表示部の単色表示によるちらつきの発生を防ぎ、単色表示した領域が視認者によって視認されにくい表示品位の向上された液晶表示装置を提供する。【解決手段】  表示面２ａと反表示面２ｂとを有する液晶表示パネル２と、液晶表示パネル２の反表示面２ｂの側に配置され、液晶層２２を通って入射した赤外光を受光し撮像する赤外線撮像装置３と、を備えた液晶表示装置１であって、液晶表示パネル２と赤外線撮像装置３とを連動させて動作させる動作制御部５５を有しており、動作制御部５５は、表示面２ａに単位時間に表示される複数フレームのうちの１フレームの表示期間において、赤外線撮像装置３に対向する表示面２ａの部位を単色表示とするとともに赤外線撮像装置３によって撮像を実行させる。【選択図】    図１
2018109686.tif 000002
【特許請求の範囲】
【請求項１】
表示面と反表示面とを有する液晶表示パネルと、
前記液晶表示パネルの前記反表示面の側に配置され、液晶を通って入射した赤外光を受光し撮像する赤外線撮像装置と、を備えた液晶表示装置であって、
前記液晶表示パネルと前記赤外線撮像装置とを連動させて動作させる動作制御部を有しており、
前記動作制御部は、前記表示面に単位時間に表示される複数フレームのうちの１フレームの表示期間において、前記赤外線撮像装置に対向する前記表示面の部位を単色表示とするとともに前記赤外線撮像装置によって撮像を実行させる液晶表示装置。
【請求項２】
前記動作制御部は、前記赤外線撮像装置によって撮像を実行させるときに前記表示面の全面を前記単色表示とする請求項１に記載の液晶表示装置。
【請求項３】
前記動作制御部は、前記赤外線撮像装置によって撮像を実行させるときに前記単色表示を黒色表示とする請求項１または請求項２に記載の液晶表示装置。
【請求項４】
前記赤外線撮像装置は、可視光カットフィルタを有しており、
前記動作制御部は、前記赤外線撮像装置によって撮像を実行させるときの前記単色表示を可視光域の色から選ばれる色とする請求項１乃至請求項３のいずれか１項に記載の液晶表示装置。
【請求項５】
前記動作制御部は、前記複数フレームに含まれる色の情報を取得し、前記１フレームの直前のフレームおよび直後のフレームに含まれる色のうち割合が最も大きい色を選ぶ請求項４に記載の液晶表示装置。
【請求項６】
前記動作制御部は、前記複数フレームに含まれる色の情報を取得し、前記１フレームの直前のフレームまたは直後のフレームに含まれる色のうち割合が最も大きい色を選ぶ請求項４に記載の液晶表示装置。
【請求項７】
前記表示面の側の外部環境に赤外線を放射する赤外線発生部を有している請求項１乃至請求項６のいずれか１項に記載の液晶表示装置。
【請求項８】
前記複数フレームは、３０フレーム乃至６０フレームである請求項１乃至請求項６のいずれか１項に記載の液晶表示装置。
【請求項９】
前記液晶表示パネルの反表示面の側にバックライト装置が配置されており、
前記バックライト装置は、前記赤外線撮像装置を保持する保持部を有している請求項１乃至請求項８のいずれか１項に記載の液晶表示装置。
【発明の詳細な説明】
【技術分野】
【０００１】
本発明は、撮像装置を搭載した液晶表示装置に関する。
【背景技術】
【０００２】
従来から、スマートフォンおよびカメラ付き携帯電話機などの携帯型通信機器用のディスプレイ装置として、撮像装置を搭載したカメラ一体型ディスプレイ装置が知られており、またそれに用いられる液晶表示装置が知られている。このような液晶表示装置は、たとえば特許文献１に記載されている。
【０００３】
特許文献１に記載の液晶表示装置は、赤外線の透過、非透過をスイッチング制御可能な赤外線スイッチング素子が複数設けられている表示パネルと、その表示パネルの反表示面側に設置されたバックライト装置と、そのバックライト装置に設置された、赤外線を表示パネル側に照射する赤外線発光素子及び表示パネルの表示面に近接した被検知体によって反射された赤外線を受光する赤外線受光素子とを有する赤外線センサユニットと、を備えており、表示パネルに赤外線を透過させる赤外線透過領域を形成するとともに、その赤外線透過領域を走査することによって被検知体の位置を特定している。
【先行技術文献】
【特許文献】
【０００４】
【特許文献１】特開２０１５−２２５４２３号公報
【発明の概要】
【発明が解決しようとする課題】
【０００５】
前述の特許文献１に開示されている表示装置では、表示パネルの液晶は、赤外線の透過、非透過をスイッチング制御可能な、赤外線スイッチング部材として機能するものである。このようなスイッチング制御は、１フレーム期間のうちの所定の期間、たとえば０．５フレームの期間において赤外線透過領域の走査を行い、残りの０．５フレーム期間において画像表示を行い、あるいは、フレーム期間を跨って赤外線透過領域の走査を行うように構成されている。赤外線透過領域が各フレームで表示されるので、表示面にちらつきを生じ易く、表示面の赤外線センサユニットに対向する領域を単色表示した場合に、単色表示した領域が視認者に視認されやすく、画像品位が低下してしまうという問題がある。
【０００６】
本発明の目的は、赤外線撮像装置に対向する表示部の単色表示によるちらつきの発生を防ぎ、単色表示した領域が視認者によって視認されにくい表示品位の向上された液晶表示装置を提供することである。
【課題を解決するための手段】
【０００７】
本発明は、表示面と反表示面とを有する液晶表示パネルと、
前記液晶表示パネルの前記反表示面の側に配置され、液晶を通って入射した赤外光を受光し撮像する赤外線撮像装置と、を備えた液晶表示装置であって、
前記液晶表示パネルと前記赤外線撮像装置とを連動させて動作させる動作制御部を有しており、
前記動作制御部は、前記表示面に単位時間に表示される複数フレームのうちの１フレームの表示期間において、前記赤外線撮像装置に対向する前記表示面の部位を単色表示とするとともに前記赤外線撮像装置によって撮像を実行させる液晶表示装置である。
【０００８】
また本発明は、前記動作制御部は、前記赤外線撮像装置によって撮像を実行させるときに前記表示面の全面を前記単色表示とすることを特徴とする。
【０００９】
また本発明は、前記動作制御部は、前記赤外線撮像装置によって撮像を実行させるときに前記単色表示を黒色表示とすることを特徴とする。
【００１０】
また本発明は、前記赤外線撮像装置は、可視光カットフィルタを有しており、前記動作制御部は、前記赤外線撮像装置によって撮像を実行させるときの前記単色表示を可視光域の色から選ばれる色とすることを特徴とする。
【００１１】
また本発明は、前記動作制御部は、前記複数フレームに含まれる色の情報を取得し、前記１フレームの直前のフレームおよび直後のフレームに含まれる色のうち割合が最も大きい色を選ぶことを特徴とする。
【００１２】
また本発明は、前記動作制御部は、前記複数フレームに含まれる色の情報を取得し、前記１フレームの直前のフレームまたは直後のフレームに含まれる色のうち割合が最も大きい色を選ぶことを特徴とする。
【００１３】
また本発明は、前記表示面の側の外部環境に赤外線を放射する赤外線発生部を有していることを特徴とする。
【００１４】
また本発明は、前記複数フレームは、３０フレーム乃至６０フレームであることを特徴とする。
【００１５】
また本発明は、前記液晶表示パネルの反表示面の側にバックライト装置が配置されており、前記バックライト装置は、前記赤外線撮像装置を保持する保持部を有していることを特徴とする。
【発明の効果】
【００１６】
本開示の画像装置によれば、赤外線撮像装置に対向する表示部の単色表示によるちらつきの発生を防ぎ、単色表示した領域が視認者によって視認されにくい表示品位の向上した液晶表示装置とすることができる。
【００１７】
また本発明によれば、表示部の赤外線撮像装置に対向する部位だけを黒表示とした場合に比べて黒表示が目立ちにくく、より一層視認されにくくなる。
【００１８】
また本発明によれば、赤外線撮像装置が可視光カットフィルタを有していない場合であれば、表示部の赤外線撮像装置に対向する部位を黒表示とすることで、液晶によって可視光をカットすることができ、撮像素子にノイズとなる可視光が入らないようにすることができる。
【００１９】
また本発明によれば、表示部の単色表示を、白表示、青表示、赤表示、緑表示などの可視光の表示とし、可視光が、液晶層を通して赤外線撮像装置に入ってきた場合には、可視光カットフィルタで可視光をカットして、ノイズとなる可視光が入らないようにすることができる。
【００２０】
また本発明によれば、たとえば、撮像に用いる１フレームの直前のフレームおよび直後のフレームの画像が青色部の割合が多い表示（青空などの画像表示）であれば、表示部の赤外線撮像装置に対向する部位を青表示として、視認者に撮像画面が視認されにくくすることができる。
【００２１】
また本発明によれば、たとえば、撮像に用いる１フレームの直前のフレームまたは直後のフレームの画像が青色部の割合が多い表示（青空などの画像表示）であれば、表示部の赤外線撮像装置に対向する部位を青表示として、視認者に撮像画面が視認されにくくすることができる。
【００２２】
また本発明によれば、赤外線発光素子が、自動車の運転者に照射した赤外線の反射光を赤外線撮像装置で受光することができ、わき見や居睡りをしている運転者の状態をより鮮明、正確に捉えることができる。
【００２３】
また本発明によれば、１秒間に３０フレーム乃至６０フレームを表示させて、視認者によって単色表示の部位をより視認されにくくすることができる。
【００２４】
また本発明によれば、画像表示を見やすい高輝度の液晶表示装置とすることができるとともに、赤外線撮像装置を設置するスペースを省くことができ、省スペース化に有利である。また、液晶表示パネルの表示面における液晶層がある部位に赤外線撮像装置を設置することができるので、赤外線撮像装置は、視認者の状態を捉えやすい位置に配置される。また、一般に白色ＬＥＤを用いたバックライト装置は、自然光（太陽光）と異なり、赤外線撮像装置にとってノイズとなる近赤外線付近（光波長が８３０ｎｍ〜２５００ｎｍ程度）の赤色光、赤外光をほとんど含まないために、赤外線撮像装置にとってノイズ源となりにくい。したがって、画像表示を見やすい高輝度の液晶表示装置とすることができるとともに、赤外線撮像装置による撮像が容易なものとなる。
【図面の簡単な説明】
【００２５】
【図１】第１実施形態の液晶表示装置１のブロック回路図である。
【図２】液晶表示装置１を示す分解斜視図である。
【図３】図２に示されるバックライト装置を分解した状態を示す液晶表示装置１の分解斜視図である。
【図４】図３の液晶表示装置１の分解斜視図である。
【図５】液晶表示装置の構成を示す断面図である。
【図６】液晶表示装置１のタイミングチャートである。
【図７】第２実施形態の液晶表示装置１のブロック回路図である。
【図８】第３実施形態の液晶表示装置１のブロック回路図である。
【図９】第４実施形態の液晶表示装置１のタイミングチャートである。
【発明を実施するための形態】
【００２６】
図１は、本発明の第１実施形態の液晶表示装置１のブロック回路図である。図２は液晶表示装置１を示す分解斜視図であり、図３は図２に示されるバックライト装置４を分解した状態を示す液晶表示装置１の分解斜視図であり、図４は図３の状態の液晶表示装置１の分解斜視図である。
【００２７】
液晶表示装置１は、表示部である表示面２ａと反表示面２ｂとを有する液晶表示パネル２と、液晶表示パネル２の反表示面２ｂの側に配置され、液晶を通って入射した赤外光を受光し撮像する赤外線撮像装置３と、を備えている。液晶表示装置１は、液晶表示パネル２と赤外線撮像装置３とを連動させて動作させる動作制御部５５を有しており、動作制御部５５は、表示面２ａに単位時間に表示される複数フレームのうちの１フレームの表示期間において、赤外線撮像装置３に対向する表示面２ａの部位を単色表示とするとともに赤外線撮像装置３によって撮像を実行させる。
【００２８】
液晶表示装置１は、好適には液晶表示パネル２の反表示面２ｂよりも背後で赤外線撮像装置３を保持する保持部を有し、液晶表示パネル２の反表示面２ｂに光を照射するバックライト装置４と、を含み、さらに液晶表示パネル２の表示面２ａを覆うように配設された板状の保護部材であるカバーパネル５を含む。なお図３に示すように、液晶表示パネル２は、その下端部に、表示の駆動制御を行うＩＣ（Integrated  Circuit）等の駆動素子、回路配線等を有するフレキシブルプリント回路基板（Flexible  Printed  Circuits：ＦＰＣ）等から成る回路基板２ｃが設置されている。
【００２９】
バックライト装置４は、アルミニウム合金等の金属または合成樹脂から成る筐体６と、筐体６に嵌め込まれるトレイ７と、反射シート８と、ポリカーボネートなどの透光性を有する合成樹脂から成る導光板９と、拡散シート１０と、輝度強調フィルム(Brightness  Enhancement  Film)１１と、枠体１２と、を含んで構成される。
【００３０】
筐体６は、正面視の形状が横長の長方形の板状体から成る底板６ａと、底板６ａの４辺に垂直に連なる４つの側壁６ｂとを有する。各側壁６ｂには、複数の突起６ｃがそれぞれ形成される。
【００３１】
枠体１２は、正面視の形状が筐体６の各側壁６ｂに対応する横長の長方形であって、各側壁６ｂのそれぞれとほぼ同一長さの細幅の板状体から成る４つの枠部１２ａによって構成される。各枠部１２ａには、筐体６の各突起６ｃおよび後述のトレイ７の各突起７ｆがそれぞれ嵌合する複数のスリット１２ｂが形成される。
【００３２】
トレイ７は、正面視の形状が横長の長方形の底板７ａと、底板７ａの４辺に垂直に連なる４つの側壁７ｂとを有する。下方に配置される側壁７ｂの内面には、光源である複数の発光素子７ｃが細幅の基板７ｄに複数個、整列して実装された発光素子アレイ基板７ｅが搭載される。各側壁７ｂには、複数の突起７ｆがそれぞれ形成される。
【００３３】
トレイ７内には、前述の反射シート８と導光板９と拡散シート１０と、輝度強調フィルム１１とが、この順序に積層状態で収容され、枠体１２が嵌め込まれ、スリット１２ｂに筐体６の各突起６ｃおよびトレイ７の各突起７ｆがそれぞれ嵌合して固定される。トレイ７内に導光板９が収容された状態では、導光板９の下面と発光素子アレイ基板７ｅとは対応し、発光素子アレイ基板７ｅに搭載された各発光素子７ｃの光が導光板９の下面から入射されるように構成されている。
【００３４】
図５は半透過型の液晶表示パネル２を示す断面図である。液晶表示パネル２は、液晶層２２を有するとともに、表示面２ａ側から入射して液晶層２２を通過した光を反射する光反射層２４を有する液晶表示素子２５と、液晶表示素子２５の表示面２ａ側に配置される第１の偏光板２６と、液晶表示素子２５と第１の偏光板２６との間の、第１の偏光板２６側に配置される第１の１／２波長板２７と、液晶表示素子２５と第１の偏光板２６との間の、液晶表示素子２５側に配置される第２の１／２波長板２８と、を含む。このように、液晶表示素子２５と第１の偏光板２６との間には、第１の偏光板２６の側から順に設けられる第１の１／２波長板２７および第２の１／２波長板２８を備え、さらに、液晶表示素子２５の反表示面２ｂ側に配置される第２の偏光板４４と、液晶表示素子２５と第２の偏光板４４との間に配置される１／４波長板４５および第３の１／２波長板５０とを備え、液晶表示パネル２の反表示面２ｂの側から入射した光を透過させる光透過部４６が、光反射部４７に加えて液晶層２２に設けられる。基本的には、反表示面２ｂ側にバックライト装置４は不要であるが、あってもよい。
【００３５】
１／４波長板４５は、その遅相軸と第２の１／２波長板２８の遅相軸とが直交するので、第２の１／２波長板２８の残留位相差、すなわち第２の１／２波長板２８に対して１／２の位相差分を打ち消すことができる。このように液晶表示素子２５と第２の偏光板４４との間には、液晶表示素子２５の側から順に１／４波長板４５および第３の１／２波長板５０が設けられる。１／４波長板４５の遅相軸と第２の１／２波長板２８の遅相軸との交差角度は９０°である。また第３の１／２波長板５０の遅相軸と第１の１／２波長板２７の遅相軸とは、８８°以上１０８°以下の交差角度で交差している。
【００３６】
次に、半透過型の液晶表示パネル２の表示について説明すると、液晶表示素子２５は、反表示面２ｂ側から入射した光を透過させる光透過部４６を液晶層２２に有するので、液晶層２２に電界が印加されていない状態では、液晶表示素子２５の反表示面２ｂの側から入射した光は、第２の偏光板４４によって直線偏光となるが、この直線偏光は、第３の１／２波長板５０および１／４波長板４５を通過すると広帯域の円偏光となる。この広帯域の円偏光は、液晶層２２および第２の１／２波長板２８、さらに第１の１／２波長板２７を通過した後、直線偏光となる。この直線偏光の偏光方向は、第１の偏光板２６の偏光方向に直交する。これによって、直線偏光は、第１の偏光板２６から外部に出射せず、表示品位の高い単色表示であるノーマリブラックの黒表示が得られる、いわゆる半透過型の液晶表示パネルを実現することができる。
【００３７】
また、液晶層２２に電界が印加された状態では、反表示面２ｂ側からの入射光は、第２の偏光板４４を通過し、直線偏光となる。この直線偏光の光は、第３の１／２波長板５０と１／４波長板４５によって広帯域の円偏光となる。この広帯域の円偏光は、液晶層２２、第２の１／２波長板２８、第１の１／２波長板２７を通過して楕円偏光となり、楕円偏光は第１の偏光板２６の偏光方向の光だけが通過して、白表示となる。これによって、単色表示であるノーマリブラックの黒表示を実現することができる。
【００３８】
図１に示すように液晶駆動回路５６は、表示部に単位時間に複数のフレームの表示をさせており、たとえば１秒間に３０フレーム乃至６０フレームを表示させている。動作制御部５５は、撮像開始のタイミング信号を赤外線撮像装置３の撮像駆動回路５７に出力する。撮像駆動回路５７は、単位時間において、動作制御部５５から撮像開始のタイミング信号を受信して、１フレームの表示中に撮像を開始する。動作制御部５５が、撮像停止のタイミング信号を撮像駆動回路５７に出力すると、撮像駆動回路５７は、動作制御部５５が出力した撮像停止のタイミング信号を受信して撮像を停止する。なお、撮像駆動回路５７は、撮像開始のタイミング信号を受信して、撮像を開始するとともに、パルスカウンタによって経過時間の計測を開始して、所定の撮像期間が経過したとき、自ら撮像を停止することもできる。
【００３９】
液晶駆動回路５６は、撮像に用いる１フレームにおいて、表示部の赤外線撮像装置３に対向する部位を黒表示などの単色表示とする。赤外線撮像装置３が可視光カットフィルタを有していない場合であれば、表示部の赤外線撮像装置３に対向する部位を黒表示とすることで、液晶層２２によって可視光をカットすることができ、撮像素子５８にノイズとなる可視光が入らないようにすることができる。
【００４０】
表示部には、一般に、１秒間に３０フレーム乃至６０フレームの表示がされる（フレーム周波数が３０Ｈｚ乃至６０Ｈｚである）ので、３０フレーム乃至６０フレームのうちの１フレームのみを赤外線撮像装置３の撮像に用いることにより、視認者によって単色表示の部位が視認されにくく、表示面２ａの単色表示による、ちらつきが生じにくくなる。表示部の赤外線撮像装置３に対向する部位を黒表示とすることは、白色表示などの、黒よりも明るい色の表示とする場合に比べて視認されにくく好ましい。
【００４１】
表示部の赤外線撮像装置３に対向する部位を含んだ表示部の画面全体を黒表示とする場合には、表示部の赤外線撮像装置３に対向する部位だけを黒表示とした場合に比べて目立ちにくく、いっそう視認者に視認されにくくなり好ましい。
【００４２】
赤外線撮像装置３が可視光カットフィルタを有している場合であれば、動作制御部５５は、表示部の単色表示を、白表示、青表示、赤表示、緑表示、黒表示などの種々の単色表示とすることができる。液晶層２２を通して、これらの可視光が赤外線撮像装置３に入ってきた場合には、可視光カットフィルタで可視光をカットすることができる。
【００４３】
動作制御部５５は、撮像に用いる１フレームの直前のフレーム（複数フレームでもよい）の画像および撮像に用いる１フレームの直後のフレーム（複数フレームでもよい）の画像を予め取得しておき、撮像に用いる１フレームの直前のフレームの画像および撮像に用いる１フレームの直後のフレームの画像に含まれる色のうち割合が最も大きい色を選んで単色表示することができる。あるいは、動作制御部５５は、撮像に用いる１フレームの直前のフレームの画像または撮像に用いる１フレームの直後のフレームの画像を予め取得しておき、撮像に用いる１フレームの直前のフレームの画像あるいは撮像に用いる１フレームの直後のフレームの画像に含まれる色のうち割合が最も大きい色を選んで単色表示することができる。
【００４４】
これによって、たとえば、撮像に用いる１フレームの直前のフレーム（複数フレームでもよい）および直後のフレーム（複数フレームでもよい）の画像が青色部の割合が多い表示（青空などの画像表示）であれば、表示部の赤外線撮像装置３に対向する部位を青表示とし、あるいは、赤外線撮像装置３に対向する部位を含んだ表示部の画面全体を青表示として、視認者に撮像画面が視認されにくくすることができる。
【００４５】
液晶表示装置１は、情報伝達装置５９をさらに備えているので、赤外線撮像装置３で取得した画像に応じて、たとえば取得した画像が、自動車を運転する運転者が、よそ見や居眠りをしている画像であれば、撮像駆動回路５７は、警報スピーカ、警報表示装置などの情報伝達装置５９に、運転者に警報を伝えるための指令信号を出力する。
【００４６】
バックライト装置４が、赤外線撮像装置３を保持する保持部を有している場合、画像表示を見やすい高輝度の液晶表示装置１とすることができるとともに、赤外線撮像装置３を設置するスペースを省くことができ、省スペース化に有利である。また、液晶表示パネル２の表示面２ａにおける液晶層２２がある部位に赤外線撮像装置３を設置することができるので、赤外線撮像装置３は、視認者の状態を捉えやすい位置に配置される。
【００４７】
また、一般に白色ＬＥＤを用いたバックライト装置４は、自然光（太陽光）と異なり、赤外線撮像装置３にとってノイズとなる近赤外線付近（光波長が８３０ｎｍ〜２５００ｎｍ程度）の赤色光、赤外光をほとんど含まないために、赤外線撮像装置３にとってノイズ源となりにくい。したがって、画像表示を見やすい高輝度の液晶表示装置１とすることができるとともに、赤外線撮像装置３による撮像が容易なものとなる。
【００４８】
なお、動作制御部５５は、液晶表示装置１内に液晶駆動回路５６と独立して設けられていてもよい。動作制御部５５は、たとえば、赤外線撮像装置３内に設けられていてもよい。
【００４９】
図６は、液晶表示装置１のタイミングチャートである。液晶表示装置１の表示部が、１秒間に６０フレームの表示がされる場合に、６０フレームのうちの１フレーム（たとえば、第３フレーム）を赤外線撮像装置３の撮像に用いる。
【００５０】
第１フレーム〜第６０フレームのそれぞれは、画像データを書き込む書き込み期間と、画像を表示された状態で保持する保持期間とから構成されている。保持期間は、垂直帰線期間またはブランキング期間といわれている。
【００５１】
赤外線撮像装置３の撮像は、書き込み期間が終わった後の保持期間が始まるタイミングで開始することが好ましい。保持期間では、たとえば表示部の全体を黒表示とすることができ、赤外線撮像装置３が保持期間で撮像することによって、赤外線撮像装置３の配置位置に関わらず、赤外線撮像装置３に対向する表示面２ａの部位を黒表示とすることができ、赤外線撮像装置３を配置する配置位置の自由度が大きくなる。
【００５２】
図７は、第２実施形態の液晶表示装置１のブロック回路図である。第１実施形態の説明と重複する部分については説明を省略し、同一の参照符を用いることとする。本実施形態では、赤外線撮像装置３で取得した画像に応じて、たとえばその画像が、自動車を運転する運転者が、よそ見や居眠りをしている画像であれば、撮像駆動回路５７は、液晶駆動回路５６に、警報音、警報表示などの警報の情報等を運転者に伝えるための指令信号を出力する。液晶駆動回路５６は、運転者に警報を伝えるための指令信号に応じて警報画像などを表示部に出力する。このような構成であれば、情報伝達装置５９を設けなくてもよく、液晶表示装置１をコンパクトな構成とすることができる。
【００５３】
図８は、第３実施形態の液晶表示装置１のブロック回路図である。第１実施形態または第２実施形態の説明と重複する部分については説明を省略し、同一の参照符を用いることとする。液晶表示装置１は、表示面２ａの側の外部環境に赤外線を放射する赤外線発光素子６０を有している。このような構成であると、赤外線発光素子６０が、自動車の運転者に赤外線を照射して、その反射光を赤外線撮像装置３で受光することができ、運転者の状態をより鮮明、正確に捉えることができる。
【００５４】
図９は、第４実施形態の液晶表示装置１のタイミングチャートである。第１実施形態または第３実施形態の説明と重複する部分については説明を省略し、同一の参照符を用いることとする。赤外線撮像装置３は、運転手の顔面に近い高さに配置されることが好ましいので、表示部のうちスピードメータ等が表示される領域の上部に配置される。画像データの書込みは、表示部の上部から行なわれており、赤外線撮像装置３と対向する部位の書き込みは、書込み期間のうちの早期に行なわれる。書込み期間のうち、所定の初期期間を非撮像期間とし、書込み期間のうち初期期間を除いた残余の残部期間と保持期間とを併せた期間を、赤外線撮像装置３が撮像する撮像期間とすると、初期期間は書込み期間の２０％乃至５０％程度が好ましく、より好ましくは、書込み期間の３０％乃至４０％である。
【００５５】
初期期間を書込み期間の２０％よりも小さくした場合には、赤外線撮像装置が撮像を開始するときに、すでに画像データの書込みが終わっている領域が狭く、赤外線撮像装置を配置可能な領域が制限される。赤外線撮像装置を必要以上に小型にしなければならず、赤外線撮像装置が撮像した画像の鮮明度、コントラスト等が劣化する傾向がある。
【００５６】
なお、赤外線撮像装置３の電源は、バックライト装置４の電源と共用され、液晶表示パネル２の表示動作と赤外線撮像装置３の撮像動作とが同期するように、液晶表示パネル２と赤外線撮像装置３とは動作制御部５５に電気的に接続されて制御されることが好ましい。また、バックライト装置４も動作制御部５５に電気的に接続されて、液晶表示パネル２と赤外線撮像装置３に連動して制御されるように構成されていてもよい。これよって、電気配線の本数や制御ステップを簡略化することができ、液晶表示装置１の小型化および軽量化にも有利である。
【符号の説明】
【００５７】
１  液晶表示装置
２  液晶表示パネル
２ａ  表示面
２ｂ  反表示面
２ｃ  回路基板
３  赤外線撮像装置
４  バックライト装置
５  カバーパネル
６  筐体
６ａ  底板
６ｂ  側壁
６ｃ  突起
７  トレイ
７ａ  底板
７ｂ  側壁
７ｃ  発光素子
７ｄ  基板
７ｅ  発光素子アレイ基板
７ｆ  突起
８  反射シート
９  導光板
１０  拡散シート
１１  輝度強調フィルム
１２  枠体
１２ａ  枠部
１２ｂ  スリット
２２  液晶層
２４  光反射層
２５  液晶表示素子
２６  第１の偏光板
２７  第１の１／２波長板
２８  第２の１／２波長板
４４  第２の偏光板
４５  １／４波長板
４６  光透過部
４７  光反射部
５０  第３の１／２波長板
５５  動作制御部
５６  液晶駆動回路
５７  撮像駆動回路
５８  撮像素子
５９  情報伝達装置
６０  赤外線発光素子
【図１】
2018109686.tif 000003
【図２】
2018109686.tif 000004
【図３】
2018109686.tif 000005
【図４】
2018109686.tif 000006
【図５】
2018109686.tif 000007
【図６】
2018109686.tif 000008
【図７】
2018109686.tif 000009
【図８】
2018109686.tif 000010
【図９】
2018109686.tif 000011